(57)【特許請求の範囲】
【請求項１】
カラーフィルタディスクと該カラーフィルタディスクを回転させるモータとを有して成る回転カラーフィルタ部と、
該回転カラーフィルタ部の該モータが取付けられる取付けベースと、
該回転カラーフィルタ部の全体を覆うカバーと
を備え、
前記回転カラーフィルタ部が、前記取付けベースと前記カバーから構成される密閉された空間内に配されることを特徴とする回転カラーフィルタユニット。
【請求項２】
請求項１記載の回転カラーフィルタユニットにおいて、
前記モータはロータ部とステータ部とから成り、該ステータ部と前記取付けベースの間に振動を遮断する緩衝材を設けたことを特徴とする回転カラーフィルタユニット。
【請求項３】
請求項２記載の回転カラーフィルタユニットにおいて、
前記緩衝材の表面に凸部を設けたことを特徴とする回転カラーフィルタユニット。
【請求項４】
請求項２記載の回転カラーフィルタユニットにおいて、
前記緩衝材は環状またはディスク状に構成されていることを特徴とする回転カラーフィルタユニット。
【請求項５】
請求項１記載の回転カラーフィルタユニットにおいて、
前記カバーの形状を鍋状とし、該鍋状の底部を外側または内側に湾曲させることを特徴とする回転カラーフィルタユニット。
【請求項６】
請求項１記載の回転カラーフィルタユニットにおいて、
前記カバーの形状を鍋状とし、該カバーの外面に複数の補強リブを設けるとともに、該複数の補強リブの間にゴム材を設けたことを特徴とする回転カラーフィルタユニット。
【請求項７】
請求項１記載の回転カラーフィルタユニットにおいて、
前記カバーに第１の鏡筒を設け、前記取付けベースに第２の鏡筒を設け、該第１の鏡筒に第１のコンデンサレンズを配置し、該第２の鏡筒に第２のコンデンサレンズを配置したことを特徴とする回転カラーフィルタユニット。
【請求項８】
請求項７記載の回転カラーフィルタユニットにおいて、
前記第１の鏡筒と前記第２の鏡筒の部分にヘルムホルツレゾネータが構成されることを特徴とする回転カラーフィルタユニット。
【請求項９】
光源と、
カラーフィルタディスクと該カラーフィルタディスクを回転させるモータとを有して成る回転カラーフィルタ部と、該回転カラーフィルタ部の該モータを取付ける取付けベースと、該回転カラーフィルタ部の全体を覆うカバーとを備え、前記回転カラーフィルタ部が、前記取付けベースと前記カバーから構成される密閉された空間内に配された回転カラーフィルタユニットと、
ライトバルブと、
投写レンズと
を備えて構成されることを特徴とする投写システム。
【請求項１０】
請求項９記載の投写システムにおいて、
前記モータはロータ部とステータ部とから成り、該ステータ部と前記取付けベースの間に振動を遮断する緩衝材を設けたことを特徴とする投写システム。
【発明の詳細な説明】
【０００１】
【発明の属する技術分野】
本発明は、回転体の騒音防止装置又は回転体の騒音防止技術に係わり、特に騒音防止処置が施された回転カラーフィルタユニットおよびこれを用いた投写システムに応用して好適である。
【０００２】
【従来の技術】
回転カラーフィルタユニットを持つ投写型システムについては、例えば、文献（Ｗｈｉｔｅ  Ｅｎｈａｎｃｅｍｅｎｔ  ｆｏｒ  Ｃｏｌｏｒ  Ｓｅｑｕｅｎｔｉａｌ  ＤＬＰ：Ｓｏｃｉｅｔｙ  ｆｏｒ  Ｉｍｆｏｒｍａｔｉｏｎ  Ｄｉｓｐｌａｙ  Ｉｎｔｅｒｎａｔｉｏｎａｌ  Ｓｙｍｐｏｓｉｕｍ  ：Ｐｒｅｐｒｉｎｔ  ｐ１２１−１２４：Ｍａｙ  １７−２２，１９９８）に開示されている。このような投写システムは、マイクロミラーデバイスと回転カラーフィルタを用いており、図１５に示すような原理図によって構成される。
【０００３】
図１５は投写システムの模式図である。図において、投写システム５１は白色光を発生するキセノンランプ５２から放射された光は、第１のコンデンサレンズ５３によって集束され、回転カラーフィルタ５４を通過し、再び第２のコンデンサレンズ５５によって集束され、マイクロミラーデバイス５６に入射し、このマイクロミラーデバイス５６によって偏向され、投写レンズ５７によって拡大されてスクリーン５８に映像が投写される。
【０００４】
このシステム５１においては、回転カラーフィルタ５４は、キセノンランプ５２から発生された白色光をＲＧＢ（赤色・緑色・青色）に分離するために、モータ５９によって高速（例えば３６００ｒｐｍ以上）で回転される。
回転カラーフィルタ５４が、高速（例えば３６００ｒｐｍ以上）で回転することによって風切り音および振動を生じる。その結果、回転カラーフィルタ５４によって発生した風切り音および回転カラーフィルタ５４を駆動するモータ５９の振動が遮音ケースに伝導し、遮音ケースが振動して生じた騒音が投写型システム５１の外部に放射される。
【０００５】
【発明が解決しようとする課題】
回転カラーフィルタ５４は、モータ５９によって高速（例えば３６００ｒｐｍ以上）で回転されるために風切り音が生じ、更に回転カラーフィルタ５４を駆動するモータ５９の振動が遮音ケースに伝導することによって遮音ケースが振動し騒音を生じる。そのために、風切り音を遮音する構造および振動を遮断する構造を得ることが本発明の課題である。
【０００６】
本発明の目的は回転体の騒音を防止する技術を提供することにある。
【０００７】
【課題を解決するための手段】
本発明によれば。風切り音を遮音するために、回転カラーフィルタ部を密閉された遮音ケースで覆うかもしくは閉じ込める。さらに、回転カラーフィルタ部を駆動するモータの振動が遮音ケースに伝導すると遮音ケースが振動し騒音を生じるので、回転カラーフィルタ部を駆動するモータの振動を遮音ケースに伝導しないように取付ける。
本発明の目的を達成するために、第１の発明では、回転体の騒音防止装置は、回転体及び回転体を駆動するモータから成る回転体部と、前記回転体部を取り付ける取付けベースと、前記取付けベースに取付けられた回転体部を覆うように配置されたカバーとを備える。
【０００８】
第２の発明では、回転体の騒音防止装置は、回転体及び回転体を駆動するモータから成る回転体部と、前記回転体部を取り付ける取付けベースと、前記回転体部と取付けベース間に設けられた緩衝材と、前記取付けベースに取付けられた回転体部を覆うように配置されたカバーとを備える。
【０００９】
第１又は第２の発明において、前記取付けベースと前記カバーからなる遮音ケースは密閉されている。また、前記モータは回転体を回転させるロータ部と、前記取付けベースに取り付けられるステータ部を備える。前記発明において、前記取付けベースと前記モータの前記ステータ部の間に緩衝材を設けると共に、前記取付けベースと前記ステータ部を振動を遮断するブッシングを介してネジ止めする。また、前記取付けベースと前記モータの前記ステータ部の間に緩衝材を設けると共に、前記取付けベースの取付け部に前記ステータ部を勘合し、前記取付けベースと前記ステータ部中心とを振動を遮断するためのブッシングを介してネジ止めする。
【００１０】
第１又は第２の発明において、前記カバーを鍋状に構成し、その底部の外側に補強用のリブを設けると共に、前記リブ間に遮音材を取り付ける。また、前記カバーを鍋状に構成し、その底部を内側及び外側のいずれか一方に湾曲させる。
【００１１】
第２の発明において、前記緩衝材の材料はブチルゴム系とし、硬度Ｈｓ２０〜６０度とする。また、前記緩衝材はポリオレフィン系のプラスチックの発泡体とする。また、前記緩衝材は環状に構成され、その表面に凸部を設ける。又更に、前記緩衝材は環状に構成され、前記環状の周辺部に鍔部を設ける。ことを特徴とする回転体の騒音防止装置。
【００１２】
第３の発明では、回転カラーフィルタユニットは、カラーフィルタディスクと前記カラーフィルタディスクを回転させるモータとからなる回転カラーフィルタ部と、前記回転カラーフィルタ部を取付ける取付けベース及び前記回転カラーフィルタ部を覆うカバーからなる遮音ケースとを備える。
第３の発明において、前記遮音ケースは密閉されている。また、前記モータはロータ部とステータ部とから成り、前記モータのステータ部と前記取付けベースの間に振動を遮断する緩衝材を介して、前記ステータ部と前記取付けベースをネジによ取付ける。前記緩衝材の材料はブチルゴム系とし、硬度Ｈｓ２０〜６０度とすることを特徴とする。また、前記緩衝材はポリオレフィン系のプラスチックの発泡体とする。また、前記緩衝材の表面に凸部を設ける。また、前記緩衝材は環状に構成され、前記環状の周辺に鍔部を設ける。また、前記緩衝材はディスク状とする。また、前記モータの前記ステータ部を緩衝材を介して前記取付けベースに嵌合し、振動を遮断するゴムのブッシングを介してネジで固定すると好適である。前記取付けベースと前記ステータ部中心とを振動を遮断するゴムのブッシングを介して１本のネジで固定すると好適である。
【００１３】
第３の発明において、前記遮音ケースに第１及び第２のコンデンサレンズを設け、前記遮音ケースの直径を前記カラーフィルタディスクの直径と第１または第２のコンデンサレンズの直径を足した寸法に略等しくする。また、前記取付けベースに第１のコンデンサレンズを、前記カバーに第２のコンデンサレンズを設け、前記第１のコンデンサレンズと前記第２のコンデンサレンズを対向して配置し、前記遮音ケースの奥行き寸法を前記第１のコンデンサレンズと前記第２のコンデンサレンズの間隔にほぼ等しくする。
第３の発明において、前記遮音ケースの前記カバーの形状を鍋状とし、前記鍋状の底部を外側及び内側の一方に湾曲させる。また、前記遮音ケースの前記カバーの形状を鍋状とし、補強リブを設けると共に、前記補強リブの間にゴム材を貼付ける。また、前記遮音ケースに第１、第２の鏡筒を設け、前記各鏡筒に第１のコンデンサレンズと第２のコンデンサレンズを配置し、前記遮音ケースの奥行き寸法を前記第１のコンデンサレンズと前記第２のコンデンサレンズの間隔の略２分の１から３分の１とする。前記第１の鏡筒と前記第２の鏡筒部分にヘルムホルツレゾネータを構成する。前記２つのヘルムホルツレゾネータは前記ヘルムホルツレゾネータの共鳴周波数を隣接した周波数に設定する。また、前記２つのヘルムホルツレゾネータは前記ヘルムホルツレゾネータの共鳴周波数を隣接しない別個の周波数に設定した構成にする。
【００１４】
第４の発明では、投写システムは、光源と、カラーフィルタディスクと前記カラーフィルタディスクを回転させるモータとからなる回転カラーフィルタ部、前記回転カラーフィルタ部を取付ける取付けベース及び前記回転カラーフィルタ部を覆うカバーからなる遮音ケースを備える回転カラーフィルタユニットと、ライトバルブと、投写レンズとから構成される。
第４の発明において、前記遮音ケースは密閉されており、前記モータはロータ部とステータ部とから成り、前記ステータ部と前記取付けベースの間に振動を遮断する緩衝材を介して、前記ステータ部と前記取付けベースはネジによ取付けられる。
【００１５】
【発明の実施の形態】
以下、本発明の実施の形態について、幾つかの実施例を用い、図面を参照して説明する。
図１は本発明による回転体の騒音防止装置の一実施例を示す一部断面側面図である。
図１に示す回転体の騒音防止装置は、光源、ライトバルブ、回転カラーフィルタ、投写レンズから構成される投写システムに使用して好適な回転カラーフィルタユニットの構造を示している。
図において、回転カラーフィルタユニット１は、回転カラーフィルタ部２０と遮音ケース３０とから構成されている。回転カラーフィルタ部２０はカラーフィルタディスク２１とこれを駆動するモータ２２とから構成され、モータ２２はロータ部２２ａとステータ部２２ｂとから構成されている。遮音ケース３０はカラーフィルタディスク２を取付ける取付けベース３１とカバー３２から構成されている。カバー３２は円筒形の底部に壁を設けた形状をしており以後これを鍋状と言う。３２ａは鍋状のカバー３２の底部又は端壁を示す。また、また、４は第１のコンデンサレンズ、５は第２のコンデンサレンズである。また、６ａ、６ｂは遮音ケース３０を取り付けるための取付けための支持体である。
【００１６】
カラーフィルタディスク２１は、例えば直径φ４０〜１１０で厚さｔ＝１．１ｍｍのガラス素材からなる円板状であり、キセノンランプ，メタルハライドランプ，超高圧水銀灯などから発生された白色光をＲＧＢ（赤色・緑色・青色）の色波長に分離するためのカラーフィルタ素材がコーティングされたものである。
そして、回転カラーフィルタ部２０は、投写される映像の色同期をとるために高速（例えば３６００ｒｐｍ以上）で回転されるために風切り音および振動を生じる。
風切り音は、回転カラーフィルタ部２０を密閉した遮音ケース３０で覆うか、もしくは図１に示すように密閉した遮音ケース３０の中に封鎖することによって遮音することが可能である。また、遮音ケース３０の大きさと形状および厚さが遮音の度合いに寄与する。
【００１７】
図において、遮音ケース３０はカラーフィルタディスク２１の直径φＤと第１および第２のコンデンサレンズ４、５の直径φＬの寸法を足した直径φＣ（≒φＤ＋φＬ）を有する円筒状のものであり、円筒部の長さＤは第１および第２のコンデンサレンズ４，５の間隔とほぼ等しく構成している。
また筒の両端は取付けベース３１とカバー３２の端壁３２ａによって密閉された構成になっている。
その結果、図１において回転カラーフィルタ部２０は密閉した遮音ケース３０の中に封鎖された状態になり遮音効果は良好である。
カラーフィルタディスク２１と取付ける取付けベース３１の間隔ｄ１およびカラーフィルタディスク２１とカバー３２の端壁３２ａの間隔ｄ２は大きいほうが良いが、コンデンサレンズ４，５の部分が遮音ケース内に突出すると風切り音が増加する原因となるので、前述したように遮音ケース３０の円筒部の長さＤは第１および第２のコンデンサレンズ４、５の間隔とほぼ等しくすることが適当な構成である。
【００１８】
図１において、例えば遮音ケース３０の直径φＣ＝１３６ｍｍは、カラーフィルタディスク２１の直径φＤ＝８５ｍｍと、第１および第２のコンデンサレンズ４、５の直径φＬ＝４５ｍｍを足した寸法にほぼ等しい。
また、カラーフィルタディスク２１と、回転カラーフィルタ部２０を取付ける取付けベース３１の間隔ｄ１をｄ１＝１７ｍｍとし、およびカラーフィルタディスク２１とカバー３２の端壁３２ａの面の間隔ｄ２を、ｄ２＝１９ｍｍとし、ｄ１とｄ２を加算した値に、取付けベース３１の厚さ、およびカバー３２の端壁３２ａの厚さを加えた数値は、第１および第２のコンデンサレンズ４、５の間隔Ｌ＝５０とほぼ等しくしている。また、間隔ｄ１および間隔ｄ２は第１および第２のコンデンサレンズ４、５の焦点距離にそれぞれ等しい。
【００１９】
カラーフィルタディスク２１が回転を始めると遮音ケース３０の内部の空気を切るようにカラーフィルタディスク２１が回転するために風切り音が生じ、更にモータ２２の電磁音による騒音レベルが大きくなるが、やがて遮音ケース３０の内部の空気がカラーフィルタディスク２１とともに渦流となって回転するようになり騒音レベルが低下し定常状態になる。
この場合、遮音ケース３０の内部は出来うる限り平坦にすると良好である。この理由は、渦流の回転とカラーフィルタディスク２１の回転が同回転であれば風切り音は発生しない。故に、渦流が高回転で生じ易くするために、遮音ケース３０の内部は摩擦が生じないように、構造上および表面仕上げを出来うる限り平坦にする。そして、滑り性が大きいポリフロロカーボンなどの表面円滑剤をコーティングすると、空気の摩擦が少なくなり、騒音をさらに低減できる。
遮音ケース３０をアルミニウム合金やマグネシウム合金などで製造した場合、遮音ケース３０の厚さは２ｍｍ以上が望ましい。厚さが厚いほど遮音効果は高くなる。そして、プラスチック材料の場合は、さらに厚くし充填材（補強材）を混合するとよい。
【００２０】
以下に、図２（ａ）、図２（ｂ）を用いて遮音ケース３０のカバー３２の詳細について説明する。
図２（ａ）は本発明による回転体の騒音防止装置に用いて遮音ケースのカバーの一実施例を示す一部断面側面図、図２（ｂ）はその平面図である。
遮音ケース３０の軽量化を図るためには、例えば、図２（ａ）（ｂ）に示すように、遮音ケース３０のカバー３２の肉厚を薄くし、内面３２ｕを平坦にして外面に補強リブ３２ｒを複数設ける。しかし、遮音ケース３０のカバー３２の厚さが薄くなると遮音効果は低下するので、外面のリブ３２ｒの間に複数のゴム材３２ｄを充填するように貼付する。これによって遮音効果と制振効果を合せて得られる。
【００２１】
次に、図３および図４を用いて遮音ケース３０のカバー３２部の他の実施例について説明する。
図３及び図４は遮音ケースのカバーの他の実施例を示す断面図である。
カラーフィルタディスク２１の回転により渦流が生じることによって、カバー３２の端壁３２ａの面がカラーフィルタディスク２１の方へ引込まれるように作用し、カバー３２の端壁３２ａの面が振動する。この作用による振動を抑制するために、図３に示すように、カバー３２の端壁３２ａを内側に湾曲させるか、もしくは図４に示すようにカバー３２の端壁３２ａを外側に湾曲させる。
【００２２】
カバー３２の端壁３２ａを図３又は図４に示すように湾曲させることによって、カバー３２の端壁を平板にした場合に比べ強度が増し振動が減少する。さらに、図３および図４に示すカバー３２においても図２に示したリブ３２ｒとゴム材３２ｄを用いて補強と遮音効果を上げて振動を抑制すると更に効果的である。
遮音ケース３０は、例えば図１に合せ示すように、回転カラーフィルタユニット１の両側に支持体６ａ、６ｂを取付け、さらにこの支持体６ａ、６ｂを投写システムの本体筐体（図示せず）に取付けることによって本体筐体に支持される。
この支持体６ａ、６ｂは図１の下方から見た場合、コ字状に形成し、このコ字状の間に本体筐体の取付け部を挿入して取り付けると好適である。また、この支持体６ａ、６ｂは遮音ケース３０の取付けベース３１およびカバー３２に一体に成形してもよい。
【００２３】
次に図５を用いて、本発明による回転体の騒音防止装置の第２の実施例について、回転カラーフィルタユニット１を用いて説明する。
図５は本発明による回転カラーフィルターユニットの第２の実施例を示す一部断面側面図である。
図は回転カラーフィルタユニット１の回転カラーフィルタ部２０を遮音ケース３０の取付けベース３１に取付ける構造を示している。
一般に、回転カラーフィルタ部２０はネジを３本用いて取付けベース３１の取付け部３１ａに直に取付けられ固定されている。そのために、カラーフィルタディスク２１が回転することによって生じる風切り音とともに、カラーフィルタディスク２が回転することによって生じる振動が取付けベース３１からカバー３２に伝導し、取付けベース３１およびカバー３２が振動し騒音となって放射される。
【００２４】
まず、回転カラーフィルタ部２０の振動が取付けベース３１に伝導しないようにするために、図５に示すように、回転カラーフィルタ部２０と取付けベース３１、詳しくは取付けベース３１の取付け部３１ａの間に振動を遮断するゴムなどからなる環状（リング状）の緩衝材７０を設けて取付けネジ８で固定する。
【００２５】
このネジの取り付けについて、図６（ａ）、図６（ｂ）を用いて説明する。
図６（ａ）は図５に示す回転カラーフィルタユニットの一部拡大断面図、図６（ｂ）は図６（ａ）のさらに一部拡大断面図である。
図６（ａ）、図６（ｂ）に示すように、取付けベース３１の取付け部３１ａと回転カラーフィルタ部２０の間に緩衝材７０を設けると共に、取付けベース３１のネジ８が挿入される部分に振動を遮断するゴムなどからなるブッシング９を介して、ネジ８で取付けベース３１と回転カラーフィルタ部２０を取付けると、ネジ８が直接取付けベース３１に接しないため、効果的に遮音することができる。
【００２６】
しかし、複数のネジ８（本実施例では３本）を用いた場合は、ネジ絞めのバラツキによって緩衝材７０の効果が半減し、さらには回転カラーフィルタ部２０が傾きカラーフィルタの効果が落ちることもある。
【００２７】
そこで、図７を用いて説明するようにネジ８を１本用いた構造にすると更に遮音効果を上げることができる。
図７は本発明による回転カラーフィルタユニットの第３の実施例を示す一部拡大断面側面図である。
図７に示すように回転カラーフィルタ部２０のモータ２２のステータ部２２ｂの中心部を１本のネジ８ａで取付けベース３１に固定する。この場合、ネジ８ａは図５（ｂ）に示したように取付けベース３１の間にゴムなどからなるブッシング９ａを介して取付け固定する。図５に示した、回転カラーフィルタ部２０の固定方法に比べ、この図７に示した固定方法の方が騒音レベルをさらに５ｄＢ以上低減することができる。
【００２８】
図５又は図７に用いた緩衝材７０をゴム材で構成した場合、材質は、ブチルゴムを基材とした制動効果の高い材料が良い。実施例では緩衝材７０の厚さは１〜３ｍｍとし、硬度Ｈｓは２０〜６０度のものを用いた。硬度Ｈｓは低いほど振動の遮断効果がある。硬度Ｈｓが低い場合は緩衝材７０の厚さｔを薄く、硬度Ｈｓが高い場合は緩衝材７０の厚さを厚くすることができる。
しかし、硬度Ｈｓ＝２０度以下にすると経時変化が大きくなり、ネジ８、８ａで締付け固定した後に回転カラーフィルタ部２０の自重によって変形し易い欠点が生じることがある。
また、緩衝材７０の材料としてはポリオレフィン系のプラスチックの発泡体を用いても同様な効果が得られる。
図５及び図７で用いた緩衝材７０の形状は真ん中に穴を設けた環状であるが、図８に示す形状にすると更に効果を高めることができる。
【００２９】
図８（ａ）、（ｂ）はそれぞれ本発明による回転カラーフィルタユニットに使用する緩衝材の一実施例を示す断面側面図及び平面図である。図９（ａ）、（ｂ）はそれぞれ本発明による回転カラーフィルタユニットに使用する緩衝材の他の実施例を示す断面側面図及び平面図である。
図８（ａ）、（ｂ）において、緩衝材７１は環状に構成されると共に、表面に複数の凸部７１ａが設けられている。このため、緩衝材７１の全面が取付けベース３１または回転カラーフィルタ部２０に接しないため、硬度Ｈｓを高くしても遮音効果を得ることができる。
【００３０】
凸部７１ａや鍔部７２ａが設けられていない環状の緩衝材７０は、平板の材料を打抜き型で打抜いて構成するためコストが安いが、この形状ではカラーフィルタディスク２１を駆動するモータ２２のステータ部２２ｂの端面が取付けベース３１に接することがあった。そこで、図９（ａ）、（ｂ）に示すように、環状の緩衝材７２の周辺に鍔部７２ａを設け、回転カラーフィルタ部２０のモータ２２のステータ部２２ｂを包み込むように取付けベース３１に取付けることによって振動を遮断する効果をさらに上げることができる。
図５に示した第２の実施例の構成では各部の大きさによって、回転カラーフィルタ部２０のモータ２２を取付ける取付けベース３１の一部が光路Ｐを遮ることがあった。この点を改良した回転カラーフィルタユニットを図１０を用いて説明する。
【００３１】
図１０は本発明による回転カラーフィルタユニットの第４の実施例を示す一部断面側面図である。
図１０に示す第３の実施例では、回転カラーフィルタ部２０のモータ２２のステータ部２２ｂを取付ける取付けベース３１の一部を別部品として構成する。この別部品はステータ部２２ｂを直接取り付ける取付け部３１ｂを構成する。更に、この取り付け部３１ｂは取付けベース３１と接する部分を狭く、ステータ部２２ｂに接する部分を広くした台形状に形成されている。また、取付け部３１ｂは取付けベース３１に嵌合され複数のネジ８ｂで固定されている。
【００３２】
回転カラーフィルタ部２０のモータ２２は、緩衝材７０を介して取付けベース３１の取付け部３１ｂに接し、さらにモータ２２のステータ部２２ｂをブッシング９を介してネジ８で直接に取付けベース３１の取付け部３１ｂ取付けられる。
したがって、モータ２２は取付け部３１ｂに接しないようにネジ８で固定される。
この場合、ネジ８はネジの締付けトルクを設定してネジ絞め固定するが、緩衝材７０およびブッシング９のゴム硬度Ｈｓのバラツキによって緩衝材７０およびブッシング９の圧縮が安定せず、回転カラーフィルタ部２０のモータ２２の振動が取付けベース３１の取付け部３１ｂに伝達されることがあった。
【００３３】
これを避けるには、ネジ８の長さを適宜選択してネジ８が回転カラーフィルタ部２０のモータ２２のステータ部２２ｂに設けたネジ穴の底部に衝突させそれ以上にネジ８が回らないようにする。これによって、緩衝材７０およびブッシング９がネジ８を締付けることによって一定以上に圧縮されることがないので、緩衝材としての効果が安定する。
【００３４】
また、取付けベース３１の取付け部３１ｂと回転カラーフィルタ部２０と緩衝材７０とブッシング９とネジ８を予め組立てたサブアッセンブリーとし、取付けベース３１の取付け部３１ｂの一部分に加速度センサーを取付け、予め振動の様子を予備検査することによって性能を一定レベルに保持することが可能となる。
なお、図１０に示す第４の実施例では、コンデンサレンズ４および５は遮音ケース３０の下部に設けた例を示している。
【００３５】
次に、図１１を用いて、本発明の第５の実施例について説明する。
図１１は本発明による回転カラーフィルタユニットの第５の実施例を示す一部断面側面図である。今まで説明した第１から第４の実施例において、回転カラーフィルタ部２０のモータ２２としては偏平状の薄形モータが用いられている。そのために外径が大きく、図１および図５に示す実施例の構造では、各部の寸法の取り方によっては、取付けベース３１の一部が第１のコンデンサレンズ４で収束され第２のコンデンサレンズ５に至る光路Ｐを遮ることがあった。
そこで、図１１に示す実施例では外径が小さく、奥行きのある形状のモータ２３が用いられている。このモータ２３はロータ部２３ａとステータ部２３ｂから構成されている。
【００３６】
モータ２３のステータ部２３ｂは遮音ケース３０の取付けベース３１にディスク状の緩衝材７１を介して接触させ、取付けベース３１の穴にプッシング９を装着し、ネジ８を用いて回転カラーフィルタ部２０を取付けベース３１に固定している。これによって、回転カラーフィルタ部２０のモータ２３の取付け部が光路を遮ることなくなり、さらに回転カラーフィルタ部２０のモータ２３の取付けが簡素化できた。なお、図１１に示す第３の実施例において、緩衝材７０の形状はディスク状に構成されている。
【００３７】
次に、図１２を用いて本発明の第６の実施例について説明する。
図１２は本発明による回転カラーフィルタユニットの第５の実施例を示す一部断面側面図である。
図１２に示す第６の実施例では、遮音ケース３０の形状をコンパクトにし、かつ回転カラーフィルタ部２０の振動によって遮音ケース３０内で発生する騒音の特異のスペクトルを吸音構造によって吸音し、騒音レペルを低減する構造を示している。
【００３８】
図１に示した遮音ケース３０の奥行き寸法Ｄは第１および第２のコンデンサレンズ４、５の間隔と等しくしている。そのために、回転カラーフィルタユニット１を投写システムの本体筐体に取付けるための支持体６ａ、６ｂが両側に設けられているために、他の部品を取付けるための障害となっている。
そこで、図１２に示すように、第１および第２のコンデンサレンズ４、５に鏡筒１０ａ、１０ｂを設ける構造とし、遮音ケース３０の奥行き寸法Ｄ’を短くして鏡筒１０ａ，１０ｂの下部に回転カラーフィルタユニット１を投写システムの本体筐体に取付けるための支持体６ａ、６ｂを配置するように構成している。
【００３９】
しかし、鏡筒１０ａ、１０ｂを設けたことよって、遮音ケース３０の取付けベース３１およびカバー３２のそれぞれの面に平坦でない部分が形成されるため風切り音が増加する。
【００４０】
遮音ケースの奥行き寸法Ｄ’は第１または第２のコンデンサレンズ４、５の間隔寸法の約４分の３から３分の１とした。そのため、鏡筒１０ａ、１０ｂが長くなり、且つカラーフィルタディスク２１と遮音ケース３０との間隔ｄ１およびｄ２が狭くなったことが相挨まって特異のスペクトルが増加し騒音レベルが大きくなることがあった。
その場合は、鏡筒１０ａ、１０ｂの空洞部の容積を利用してヘルムホルツレゾネータ１１ａ、１１ｂを形成し、特異のスペクトルを吸音し騒音レベルを低下させることができる。
【００４１】
図１３はヘルムホルツレゾネータの原理を説明するための模式図である。
図において、１１はヘルムホルツレゾネータであり、容積Ｖ、開口部の直径ｄ開口部の板圧ｔを持っている。
このヘルムホルツレゾネータ１１の共鳴周波数ｆrの計算式は、以下に示す通りである。
【００４２】
【数１】
0004022344.tif 000002
【００４３】
ここで、    Ｃ：音速
ｄ：孔の直径
ｔ：孔の厚さ
Ｖ：レゾネータの体積
また、それぞれの鏡筒１０ａ、１０ｂで形成されるヘルムホルツレゾネータ１１ａ、１１ｂは、孔の直径ｄ、孔の厚さｔ、レゾネータの体積Ｖの条件を変えて異なった２つのスペクトルの周波数ｆrに設定する。
その結果、騒音の原因となる異なった２つのスペクトルを吸音することが可能となり騒音レベルを低下させることができる。
【００４４】
図１４（ａ）、（ｂ）はヘルムホルツレゾネータの２つの共鳴周波数の間隔を変えた場合の特性図である。図において、横軸は周波数ｆを、縦軸は振幅Ａを示す。
図１４（ａ）では２つの共鳴周波数ｆr1,ｆr2による総合周波数特性が略平坦になるように共鳴周波数ｆr1,ｆr2間を定めた場合を示し、図１４（ｂ）は総合の周波数特性において、振幅が大きくなるように２つの共鳴周波数ｆr1,ｆr2の間隔を定めた場合を示す。このように、２つの周波数ｆr1,ｆr2の間隔を設定することにより、共鳴周波数ｆrの見かけの帯域を広く、または共鳴峰を高くすることが可能である。
【００４５】
同様にして、本実施例を用いることによって、騒音の原因となる周波数変動のある、もしくは大きいレベルの特異のスペクトルを吸音することが可能となり騒音レベルを低下させることができる。
回転体の騒音防止装置の実施例として、回転カラーフィルタユニットについて述べたが、本発明による回転体の騒音防止装置においては、回転体はカラーフィルタに限定されることなく、いかなる回転体の騒音防止にも有用である。
【００４６】
以上述べたように、本発明による回転体の騒音防止装置においては、回転体を駆動するモータによって生じる振動を、遮音ケースの取付けベースに伝導しないように緩衝材を介して取付けている。例えば、回転カラーフィルタユニットの回転カラーフィルタ部のカラーフィルタディスクを駆動するモータによって生じる振動を、遮音ケースの取付けベースに伝導しないように緩衝材を介して取付けている。
【００４７】
その結果、回転体、又は回転カラーフィルタ部を駆動するモータが回転することによって生じる振動は取付けベースおよびカバーに伝導しなくなり、かつ、回転体部（回転体とモータ）又は回転カラーフィルタ部全体を遮音ケースで覆うか、もしくは封じ込めるように構成したことと相挨って、回転体部または回転カラーフィルタユニットの騒音を大幅に低減することができる。
【００４８】
また、回転体、又はカラーフィルタディスクと取付けベースの間隔、および回転体、又はカラーフィルタディスクと遮音ケースのカバーの端壁の間隔を加えた間隔を十分に取っている。回転カラーフィルタユニットの場合は、第１および第２のコンデンサレンズの間隔とほぼ等しくなるように充分に取っている。
【００４９】
さらには、遮音ケースのカバーの内面を平滑にしている。その結果、遮音カバーの中で回転体、又はカラーフィルタディスクが回転することによって生じる渦流の流れがスムーズになり、回転体、又はカラーフィルタディスクが回転することによって生じる風切り音が減少し、遮音ケースを透過する騒音を低減することができる。
【００５０】
さらに、回転カラーフィルタユニットにおいては、遮音ケースに２つの鏡筒を付随させ、これら鏡筒によって形成された空間部にヘルムホルツレゾネータを構成し、カラーフィルタディスクが回転することによって遮音ケースに生じる騒音の特異なスペクトルを吸音し騒音レベルを低減することができる。
【００５１】
【発明の効果】
以上述べたように、本発明によれば、回転体及びそれを駆動するモータによって生じる騒音を低減することができる。
【図面の簡単な説明】
【図１】本発明による回転体の騒音防止装置の一実施例を示す一部断面側面図である。
【図２】本発明による回転体の騒音防止装置に用いて遮音ケースのカバーの一実施例を示す一部断面側面図及びはその平面図である。
【図３】遮音ケースのカバーの他の実施例を示す断面図である。
【図４】遮音ケースのカバーの更に他の実施例を示す断面図である。
【図５】本発明による回転カラーフィルターユニットの第２の実施例を示す一部断面側面図である。
【図６】図５に示す回転カラーフィルタユニットの一部拡大断面図である。
【図７】本発明による回転カラーフィルタユニットの第３の実施例を示す一部拡大断面側面図である。
【図８】本発明による回転カラーフィルタユニットに使用する緩衝材の一実施例を示す断面側面図及び平面図である。
【図９】本発明による回転カラーフィルタユニットに使用する緩衝材の他の実施例を示す断面側面図及び平面図である。
【図１０】本発明による回転カラーフィルタユニットの第４の実施例を示す一部断面側面図である。
【図１１】本発明による回転カラーフィルタユニットの第５の実施例を示す一部断面側面図である。
【図１２】本発明による回転カラーフィルタユニットの第５の実施例を示す一部断面側面図である。
【図１３】ヘルムホルツレゾネータの原理を説明するための模式図である。
【図１４】ヘルムホルツレゾネータの２つの共鳴周波数の間隔を変えた場合の特性図である。
【図１５】投写システムの模式図である。
【符号の説明】
１…回転カラーフィルタユニット、２０…回転カラーフィルタ部、２１…カラーフィルタディスク、２２…回転カラーフィルタを駆動するモータ、２２ａ…ロータ部、２２ｂ…ステータ部、３０…遮音ケース、３１…取付けベース、３２…カバー、３２ａ…カバー３２の端壁、３２ｒ…カバー３２の補強リブ、３２ｄ…ゴム材、４…第１のコンデンサレンズ、５…第２のコンデンサレンズ、６ａ、６ｂ…支持体、７０、７２…緩衝材、７１ａ…凸部、７２ａ…鍔部、８…ネジ、９…ブッシング、１０ａ、１０ｂ…鏡筒、１１…ヘルムホルツレゾネータ、５１…投写型システム、５２…キセノンランプ、５３…第１のコンデンサレンズ、５４…回転カラーフィルタ、５５…第２のコンデンサレンズ、５６…マイクロミラーデバイス、５７…投写レンズ、５８…スクリーン。
【図１】
0004022344.tif 000003
【図２】
0004022344.tif 000004
【図３】
0004022344.tif 000005
【図４】
0004022344.tif 000006
【図５】
0004022344.tif 000007
【図６】
0004022344.tif 000008
【図７】
0004022344.tif 000009
【図８】
0004022344.tif 000010
【図９】
0004022344.tif 000011
【図１０】
0004022344.tif 000012
【図１１】
0004022344.tif 000013
【図１２】
0004022344.tif 000014
【図１３】
0004022344.tif 000015
【図１４】
0004022344.tif 000016
【図１５】
0004022344.tif 000017